(57)【要約】【課題】不必要な対象物に不意に係合されることを防止し、必要な対象物に確実に係合させることが可能なフックを提供すること。【解決手段】対象物を係合するための凹部３の正面側に配置され、当該凹部３の開口８を覆うように突出する突出部９を備える構成であるため、不要な対象物が開口８を通って凹部３内に進入することが防止される。これにより、不要な対象物が不意に係合されることを防止することができる。また、対象物を係合する際には、突出部９をかわして、対象物の被係合部を凹部３内に進入させることで、確実に対象物を係合させることができる。【選択図】図１
0003146551.tif 000002
【実用新案登録請求の範囲】
【請求項１】
対象物に係合可能なフックであって、
対象物を係合するための凹部を有するフック本体と、
前記凹部より正面側に配置され、前記凹部の開口を覆うように突出する突出部とを備えることを特徴とするフック。
【請求項２】
前記フック本体は、前記凹部を形成する湾曲部、及び当該湾曲部に連結する連結部を有し、
前記突出部は、前記連結部と交差する方向に延在して、前記凹部の開口を覆うように形成されていることを特徴とする請求項１記載のフック。
【考案の詳細な説明】
【技術分野】
【０００１】
本考案は、対象物に係合可能なフックに関する。
【背景技術】
【０００２】
例えば、重量物等を上方へ吊り上げる際に利用されるフックとして、特開平１１−２３０１４７号公報がある。この公報に記載されたフックは、上方から吊り下げられて使用され、重量物を係合する湾曲形状を有している。このフックの上端部には、フックとワイヤとを連結するフック装着具が設けられている。フック装着具の側部には、外方に張り出す張出部が設けられている。そして、この張出部が不要な対象物と接触することによって、当該不要な対象物がフックに引っ掛かることを防止している。
【特許文献１】特開平１１−２３０１４７号公報
【考案の開示】
【考案が解決しようとする課題】
【０００３】
しかしながら、上記特許文献１に記載の従来技術では、フック装着具の側部に設けられた張出部が上下方向に延在しているため、その他の方向にフックが移動した場合に、不必要な対象物が不意に係合することがあった。例えば、ガソリンなどの石油製品を出荷する陸上出荷積場において、ローディングアームを上方から吊り下げて収納する際に、フックが利用されている。フックは、天井から垂下するチェーン下部に連結され、このフックによって、ローディングアームを上方から支持することができる。このような使用環境では、ローディングアームを吊り下げた状態で移動させる場合に、ローディングアームの付属品である例えばＡｉｒ鋼管、配線ケーブル、取っ手等に、フックが引っ掛かることで、設備損傷の原因となる恐れがあると共に、ローディングアームを移動させている作業者がバランスを崩して転倒することなどが懸念されていた。
【０００４】
本考案は、このような課題を解決するために成されたものであり、不必要な対象物に不意に係合されることを防止し、必要な対象物に確実に係合させることが可能なフックを提供することを目的とする。
【課題を解決するための手段】
【０００５】
本考案によるフックは、対象物に係合可能なフックであって、対象物を係合するための凹部を有するフック本体と、凹部より正面側に配置され、凹部の開口を覆うように突出する突出部とを備えることを特徴としている。
【０００６】
このようなフックによれば、対象物を係合するための凹部の正面側に配置され、当該凹部の開口を覆うように突出する突出部を備える構成であるため、不要な対象物の凹部への進入を防止することができる。これにより、不要な対象物が不意に係合されることを防止することができる。また、対象物を係合する際には、突出部をかわして、対象物の被係合部を凹部内に進入させることで、確実に対象物を係合させることができる。
【０００７】
また、フック本体は、凹部を形成する湾曲部、及び当該湾曲部に連結する連結部を有し、突出部は、連結部と交差する方向に延在して、凹部の開口を覆うように形成されていることが好ましい。
【考案の効果】
【０００８】
本考案によれば、不要な対象物に不意に係合されることを防止し、必要な対象物を確実に係合させることが可能なフックを提供することができる。
【考案を実施するための最良の形態】
【０００９】
以下、添付図面を参照して、本考案の好適な実施形態について詳細に説明する。なお、各図において同一又は相当要素には同一符号を付し、重複する説明は省略する。
【００１０】
図１は、本考案の実施形態に係るフックを示す正面図、図２は、図１に示すフックの突出部が周辺の配管に当接している状態を示す図、図３は、図１に示すフックがローディングアームの取っ手に係合している状態を示す図である。図１に示すフック１は、対象物を上方から吊り下げる際に利用されるものである。フック１は、例えば、石油製品を出荷する陸上出荷場において、対象物であるローディングアーム２（図３参照）を天井から吊るした状態で収納する際に利用されるものである。
【００１１】
フック１は、対象物を係合するための凹部（係合部）３を有するフック本体４を備え、このフック本体４は、凹部３を形成する湾曲部５、及びこの湾曲部５に連結する連結部６を有している。また、フック１の上部には、例えば、チェーン７（図３参照）等を連結するための開口部８が形成されている。
【００１２】
フック１は、例えば、ステンレス製の板材（厚さ３ｍｍ）、軟鋼製の板材（厚さ６ｍｍ）から製作することができる。
【００１３】
フック１が吊り下げられた通常状態において、連結部６は、斜め下方へ延在し、湾曲部５は、連結部６の下端から連続して形成されてＵ字状に湾曲している。そして、この湾曲部５のＵ字状に形成された部分が、対象物を係合するための凹部３となる。
【００１４】
ここで、フック１には、凹部３の正面側で、凹部３の開口８を覆うように突出する突出部９が形成されている。この突出部９は、連結部６の開口部１２の近傍から、連結部６の延在方向と交差する方向に突出している。これらの連結部６及び突出部９は、逆Ｖ字状を成すように形成されている。突出部９は、連結部６の上部側から湾曲し連続して形成されている。
【００１５】
また、突出部９の下端部９ａは、湾曲部５の端部５ａと離間する位置に配置され、対象物を凹部３内に進入させるための開口１１を形成する。また、突出部９の外側の側部９ｂは、不要な対象物が凹部３内への進入を防止する当接部として機能する。
【００１６】
このようなフック１は、上方から垂下するチェーン７等に連結されて使用される。図２に示すように、フック１を移動させた場合に、その移動方向に存在する配管（不要な対象物）１０が突出部９と当接する。これにより、フック１を移動させても、配管１０の凹部３への進入を回避することができる。その結果、配管１０が不意にフック１に係合することが防止される。そのため、フック１が配管１０等の周辺設備に引っ掛かることで生じる設備損傷を防止することができる。また、フック１が不意に引っ掛かることが防止されるため、フック１を介して吊り下げられたローディングアーム２を操作する作業者が、不意にバランスを崩して転倒することが防止される。
【００１７】
また、このようなフック１を用いて、ローディングアーム２を吊り下げる場合には、作業者が操作することにより、突出部９と湾曲部５の端部５ａとの間に形成された開口１１内に、ローディングアーム２の被係合部２ａを進入させて、凹部３内に進入させる。このようにして、係合させたい対象物を凹部３内に進入させることで、確実に対象物を係合させることができ、ローディングアーム２の吊り下げ状態を安全に維持することができる。
【００１８】
以上、本考案をその実施形態に基づき具体的に説明したが、本考案は、上記実施形態に限定されるものではない。上記実施形態では、ローディングアーム２を吊り下げる場合について、説明しているが、その他の対象物を吊り下げる場合にフック１を用いても良い。
【００１９】
連結部６及び突出部９は、一体の部材によって形成されていても良く、別々の部材によって形成された連結部６及び突出部９を例えば溶接等を用いて接合してもよい。
【００２０】
また、突出部９は、凹部３の開口幅よりも長く形成されていてもよく、凹部３の開口幅よりも短く形成されていてもよい。要は、突出部９が凹部３の開口８の正面側に形成され、不要な対象物の凹部３内への進入を防止可能な構成であればよい。
【図面の簡単な説明】
【００２１】
【図１】本考案の実施形態に係るフックを示す正面図である。
【図２】図１に示すフックの突出部が周辺の配管に当接している状態を示す図である。
【図３】図１に示すフックがローディングアームの取っ手に係合している状態を示す図である。
【符号の説明】
【００２２】
１…フック、２…ローディングアーム（対象物）、３…凹部、４…フック本体、５…湾曲部、６…連結部、８…開口、９…突出部、１０…配管（不要な対象物）。
【図１】
0003146551.tif 000003
【図２】
0003146551.tif 000004
【図３】
0003146551.tif 000005